(57)【特許請求の範囲】
【請求項１】
水槽内で育成する水生生物を捕獲するための捕獲具であって、
前記水生生物を捕獲する一定形状且つ開口幅よりも深さが小さい捕獲部と、当該捕獲部に連結された棒状の操作部とからなり、
前記捕獲部の一定高さ以上の位置に水抜き孔が形成されると共に、当該水抜き孔形成高さまでの領域で水を保持可能であり、
前記捕獲部が、底面を形成する１枚の三角形パネルと壁面を構成する６枚の三角形パネルで形成されている
ことを特徴とする捕獲具。
【請求項２】
請求項１において、
前記壁面を形成する三角形パネルの面積はいずれも、前記底面を形成する三角形パネルの面積よりも大である
ことを特徴とする捕獲具。
【請求項３】
請求項１又は２において、
前記捕獲部の開口部が、平面視三角形状に形成されて３辺の縁部を有すると共に、当該３辺の縁部のうち１辺若しくは２辺の縁部に当該捕獲部の内側に向って返し部材が備わる
ことを特徴とする捕獲具。
【請求項４】
請求項３において、
前記返し部材が備わっていない縁部内周面に、ガイド部材が備わっている
ことを特徴とする捕獲具。
【請求項５】
請求項１〜４のいずれかにおいて、
前記操作部が、前記開口部の縁部の高さ位置以下、且つ、前記底面側に向けて角度を付けて取り付けられている
ことを特徴とする捕獲具。
【請求項６】
請求項１〜５のいずれかにおいて、
少なくとも前記捕獲部が、透明若しくは半透明の材料で構成されている
ことを特徴とする捕獲具。
【請求項７】
請求項１〜６のいずれかにおいて、
アクリル材料で構成されている
ことを特徴とする捕獲具。
【請求項８】
請求項１〜７のいずれかにおいて、
前記操作部の一端に、浮体が設けられている
ことを特徴とする捕獲具。
【発明の詳細な説明】
【技術分野】
【０００１】
本発明は、観賞魚をはじめ、広く水槽内で育成する水生生物の捕獲具に関する。
【背景技術】
【０００２】
従来、水槽内で飼育する水生生物を捕獲するには、所謂「タモ」網が利用されていた（特許文献１〜３参照）。水槽の大きさや捕獲しようとする水生生物の大きさに応じてサイズは異なるものの、基本的には棒の先端に網が取り付けられたタモ網を使って、水槽内の特定の水生生物を選択してすくい上げ捕獲する。
【先行技術文献】
【特許文献】
【０００３】
【特許文献１】特開２００７−３１９０１１号公報
【特許文献２】特開２００８−２５３１６６号公報
【特許文献３】特開２００５−３２３５０７号公報
【発明の概要】
【発明が解決しようとする課題】
【０００４】
しかしながら、特に観賞用に飼育する小型の水生生物（観賞魚、鑑賞エビなど）の場合、タモ網では飛び跳ねて網の外に飛び出してしまう場合がある。これはタモ網ですくい上げると網の中の水が全て網から漏れ出るので、それを嫌って水生生物が飛び跳ねる等、暴れることが原因である。これを防止するには、例えば、網の深さを深くすることで対応できるが、網を深くすると、水槽内での取り回しが行い難い（水槽内での取り回しの際に深い網がなびいてしまう）という欠点がある。更に、網を深くすると、水生生物が暴れることによって網が水生生物に絡まり易く、この網の絡まりによって水生生物の体を傷つけることにもなりかねない。鑑賞用水生生物の場合、体への傷付きは商品価値の低下を意味する。
更にタモ網の場合、捕獲してすくい上げると当然ながらタモ網から水が全て流れ出るので、水生生物の身体が空気に触れ、場合によってはそれに起因して皮膚の病気等になる可能性もある。
また、目の細かいタモ網の場合は、使用し続けていると水槽内の汚れ等により、目詰まりを起こす場合もある。
また、カニやエビ等の甲殻類などの場合、手や足で網をつかんでしまうので、網から取り出す際に手間がかかったり、時には、手足が千切れてしまう場合もある。
【０００５】
本発明は、上記課題を解決するべく生み出された発明である。
【課題を解決するための手段】
【０００６】
上記課題を解決するべく、本発明は、水槽内で育成する水生生物を捕獲するための捕獲具であって、前記水生生物を捕獲する一定形状且つ開口幅よりも深さが小さい（浅い）捕獲部と、当該捕獲部に連結された棒状の操作部とからなり、前記捕獲部の一定高さ以上の位置に水抜き孔が形成されると共に、当該水抜き孔形成高さまでの領域で水を保持可能であることを特徴とする水槽内捕獲具である。
【０００７】
即ち、網で捕獲部を構成するのではなく一定形状の形の定まった捕獲部とし、更に当該捕獲部において、水生生物の出入り口となる開口部の幅よりも深さを小さく（浅く）して水槽内での取り回しを容易とする。加えて、浅底とした場合でも、捕獲時に底面に一定量の水が漏れずに残るので、捕獲された水生生物がそれほど暴れることもない。即ち、水生生物が捕獲具の外に飛び出すことを防止すると共に、水生生物の体への傷付きを防止している。更に捕獲した場合でも、水生生物の身体が水から出てしまうことはない。また、操作途中で当該捕獲具を一旦置いておきたいような場合でも、本発明に係る捕獲具であれば棒状の操作部の先端を水槽の縁に載置しつつ捕獲部を水面に浮かせておくことができる。要するに水槽の外に置いておく必要が無いので、水槽周りの水濡れを防止できる。
【０００８】
また、前記捕獲部を、底面を形成する１枚の三角形パネルと壁面を構成する６枚の三角形パネルで形成してもよい。このような構成とすれば、例えば一枚の連続する三角形のパネルを折り畳むことで捕獲部を作り上げることができる。即ち、意匠性に優れると共に、型抜きしたパネルを使用できるので、低コストを実現できる。
【０００９】
また、前記壁面を形成する三角形パネルの面積をいずれも、前記底面を形成する三角形パネルの面積よりも大として構成してもよい。このように構成すると、パネルを組み立てた際に底面から開口部にかけて広がりのある形状となるので、水槽内で水生生物を捕獲し易い。
【００１０】
また、前記捕獲部の開口部が、平面視三角形状に形成されて３辺の縁部を有すると共に、当該３辺の縁部のうち１辺若しくは２辺の縁部に当該捕獲部の内側に向って返し部材が備わるように構成してもよい。このように構成すれば、万一すくった水生生物が跳ねる等した場合でも、開口部からの飛び出しを効果的に防止することができる。
【００１１】
また、前記返し部材が備わっていない縁部内周面に、ガイド部材を備えて構成してもよい。このように構成すれば、水槽内で水生生物を捕獲部に収容する際に、縁部で水生生物を挟み込むことを防止することができる。
【００１２】
また、前記操作部を、前記開口部の縁部の高さ位置以下、且つ、前記底面側に向けて角度を付けて取り付けて構成してもよい。このように構成すれば、例えば捕獲部の開口部を水槽の内周壁面にぴたりと付ける操作をする場合においても、操作部の存在が邪魔となり難い。
【００１３】
また、少なくとも前記捕獲部を透明の材料で構成してもよい。このように構成すれば、意匠性が向上すると共に、いずれの方向からでも捕獲状況を確認できる。また、捕獲して水生生物を単離した状態で、じっくりと観察することも可能である。
【００１４】
また、当該捕獲具をアクリル材料で構成してもよい。特に観賞魚などを扱う水槽においては、見栄えを良くするために観賞魚等用の照明（水草育成のために紫外線が含まれる場合が多い）が利用されることが多いが、アクリル材料は照明ランプの光照射に対して耐久性があり好適である。また、水槽が上下に重ねられて設置されている場合など、当該捕獲具を水槽内に入れるスペースに制約がある場合も多いところ、例えば操作部をアクリル材料で構成すれば、相当程度の湾曲状態に耐えられることから、狭いスペースであっても操作部を湾曲させて水槽内に入れることができ便利である。
【００１５】
また、前記操作部の一端に、浮体を設けて構成してもよい。この浮体が設けられていることによって、万が一当該捕獲具を水槽内に落としてしまった場合でも、捕獲具全体が水槽の底に沈んでしまうことはない。即ち、倒れた場合でも少なくとも浮体の部分が水面に顔を出しているので、手をそれほど濡らすことなく捕獲具を拾い上げることができる。また、水槽内に敷設される土壌近くにまで手を入れる必要がないので、手を入れた際の水流の乱れによって土壌をみだりに巻き上げることがなく、水槽内の水を不用意に濁すことが無い。
【００１６】
なお、本明細書及び特許請求の範囲でいう「水生生物」とは魚類に限らず、カニやエビなどの甲殻類はもちろん、カメ、イモリ、カエル、サンショウウオ、メキシコサラマンダー（別名：ウーパールーパー）など水槽内に一定程度水を張って育成する水生生物を広く含んだ概念である。特に水槽内で鑑賞目的で飼育される小型の生物のことを意味する。
【発明の効果】
【００１７】
本発明により、すくい上げた際でも水生生物を水中に維持できるので、当該水生生物の病気や傷付きを防止でき、且つ、水槽内での取り回しも容易となる。また目詰まりもない。
【図面の簡単な説明】
【００１８】
【図１】本発明にかかる捕獲具の平面図である。
【図２】同右側面図である。
【図３】同正面図である。
【図４】捕獲部の平面図である。
【図５】捕獲部の左側面図である。
【図６】捕獲部の底面図である。
【図７】図４におけるＡ−Ａ線に沿う断面図である。
【図８】図４におけるＢ−Ｂ線に沿う断面図である。
【図９】捕獲部の折り畳み手順の一例を（ａ）〜（ｃ）の順に示した図である。
【図１０】捕獲部を中心とした分解組み立て図である。
【図１１】使用状態を示した図である。
【発明を実施するための形態】
【００１９】
以下、添付図面を参照しつつ、本発明の実施形態につき詳細に説明を加える。なお、図面上は理解容易のため、各種部分の大きさや位置・厚みなどを誇張して表現している部分があり、必ずしも実際の製品と一致しない場合がある。また、以下説明する実施形態では全てのパーツが透明な樹脂材料で作られており向こう側が透視できるが、図面上は理解容易のため不透明な材料であることを前提に図示している。
【００２０】
〈捕獲具の構造〉
本発明の実施形態の一例としての捕獲具１００は、水槽内で飼育・育成している鑑賞用エビや鑑賞魚の中から、特定の個体のみを選択するために使用する捕獲具であり、平面視略三角形状の捕獲部１１０と当該捕獲部１１０にジョイント１４０を介して接続された操作部（ハンドル棒１４２、浮体１４４）とから構成されている（図１参照）。
【００２１】
捕獲部１１０に対してハンドル棒１４２は僅かに（底面側に）傾斜して取り付けられている。即ち、捕獲部１１０の上縁部に対して、角度θ１が形成されるように取り付けられている（図２参照）。
【００２２】
捕獲部１１０は、７枚の三角形状のパネル（第１パネル１１１〜第７パネル１１７）で構成された捕獲部本体と、返し部材１１８、１１９及びガイド部材１２０とを有してなる（図４参照）。また平面視略三角形状の開口部１１０ａを有している。
【００２３】
捕獲部本体は、底面を構成する三角形状の第４パネル１１４の３つの各辺から、それぞれ辺同士で鈍角（捕獲部１１０の内周面側に形成される角度が鈍角）に接合された３枚の三角形状のパネル（第２パネル１１２、第３パネル１１３、第７パネル１１７）と、これら３枚のパネルの間を埋めるように更に接合された別の３枚の三角形状のパネル（第１パネル１１１、第５パネル１１５、第６パネル１１６）で構成されている。これらのうち、第１パネル１１１、第５パネル１１５、第６パネル１１６のそれぞれの一辺が捕獲部１１０の開口部１１０ａを構成する縁部となっている。即ち、第４パネル１１４を底面として、その周囲を他の６枚のパネル（第１パネル１１１、第２パネル１１２、第３パネル１１３、第５パネル１１５、第６パネル１１６、第７パネル１１７）がその頂点を上下方向互い違いとなるように組み付けられて壁面を形成し、捕獲部本体を構成している。
【００２４】
底面を構成する第４パネル１１４は他のパネルに比べてその面積が最も小さく構成されている。その結果、底面から開口部１１０ａにかけて広がるような形となる。更に、開口部１１０ａの最大幅Ｗは、深さＤよりも大となるように構成されている。また、正面側に位置する第１パネル１１１には底面から２／３程度の高さ位置に３つの水抜き孔１１１ａが横並びに配置形成されている。本実施形態では当該水抜き孔１１１ａの直径は３ｍｍとされている。またこの水抜き孔１１１ａは、捕獲部１１０の内外を貫通するように形成される。
【００２５】
捕獲部１１０の右側面の一部を形成する第５パネル１１５には、幅約１ｍｍの縦スリット１１５ａが並列して７つ形成されている。このスリット１１５ａは全て捕獲部１１０の内外を貫通するように形成されている。また同様に、捕獲部１１０の左側面の一部を形成する第６パネル１１６にも、幅約１ｍｍの縦スリット１１６ａが並列して７つ形成されている。このスリット１１６ａも全て捕獲部１１０の内外を貫通するように形成されている。
【００２６】
捕獲部１１０は前述の通り、平面視略三角形状をしている。これにより開口部１１０ａも略三角形状をなしている。この開口部１１０ａの三角形状は背面側（操作部側）から正面側にかけて広がるような形状（扇形）となっている。またこの開口部１１０ａの右側面側の縁部には、その略全域に渡って、捕獲部１１０の内側に向って出っ張るように返し部材１１８が備わっている。この返し部材１１８は、第５パネル１１５の内周面と形成する角度θ２が僅かに鋭角となるように構成されている（図８参照）。同様に、開口部１１０ａの左側面側の縁部には、その略全域に渡って、捕獲部１１０の内側に向って出っ張るように返し部材１１９が備わっている。この返し部材１１９は、第６パネル１１６の内周面と形成する角度θ３が僅かに鋭角となるように構成されている（図８参照）。
【００２７】
一方、開口部１１０ａの正面側を構成する縁部（第１パネル１１１の上縁）には返し部材は備わっておらず、その代わりに、縁部内周面側の略全域に渡って、断面が三角形状となるように構成された棒状のガイド部材１２０が装着されている（図７参照）。
【００２８】
また操作部は、断面が丸いハンドル棒１４２と、その先端に接続された浮体１４４とからなる。浮体１４４の中は中空とされていて、水中に投下しても当該浮体１４４部分は沈まずに浮くことが可能である。なお、ハンドル棒１４２を伸縮自在の構造として構成してもよい。
【００２９】
〈捕獲部の製造方法〉
本実施形態では、捕獲部本体及び返し部材１１８、１１９は一枚の透明なアクリル板（厚さ１ｍｍ）を型抜き形成された後、当該型抜きしたアクリル板を折り曲げ、必要部分を接着することによって製造する。その後、ガイド部材１２０を装着するという手順で捕獲部１１０が完成する。
【００３０】
最初に金型により、図９（ａ）に示す形状にアクリル板を型抜きする。その際同時に折り曲げるための折曲ライン（凹溝）Ｌ１〜Ｌ８を型押しにより形成しておく。また水抜き孔１１１ａやスリット１１５ａ、１１６ａも当該型抜きと同時に形成される。更に、本実施形態においては、捕獲部本体を構成する７枚の三角形状のパネル（第１パネル１１１〜第７パネル１１７）だけではなく、返し部材１１８、１１９も同時に型抜き形成される。
【００３１】
より具体的には、図９（ａ）に示しているような形状のアクリルパネルが型抜きされる。第４パネル１１４の一辺と第７パネル１１７の一辺とが折曲ラインＬ１を挟んで連続している。更にこの第７パネル１１７の他の一辺と第５パネル１１５の一辺とが折曲ラインＬ２を挟んで連続している。更にこの第５パネル１１５の他の一辺と第２パネル１１２の一辺とが折曲ラインＬ３を挟んで連続している。更にこの第２パネル１１２の他の一辺と第１パネル１１１の一辺とが折曲ラインＬ４を挟んで連続している。更にこの第１パネル１１１の他の一辺と第３パネル１１３の一辺とが折曲ラインＬ５を挟んで連続している。更にこの第３パネル１１３の他の一辺と第６パネル１１６の一辺とが折曲ラインＬ６を挟んで連続している。なおここで、第５パネル１１５、第６パネル１１６及び第７パネル１１７に関してはジョイント１４０（図１０参照）を接続するための三角形の頂点の一部が予め意図的に切り落とされている。
【００３２】
更に第５パネルの残りの一辺と返し部材１１８とが折曲ラインＬ７を挟んで連続している。また第６パネルの残りの一辺と返し部材１１９とが折曲ラインＬ８を挟んで連続している。
【００３３】
このような形状に型抜きしたアクリル板を、続いて、図９（ｂ）→図９（ｃ）のように順次折り曲げていく。ここでは最初に折曲ラインＬ７、Ｌ８を折り曲げている。即ち、２つの返し部材１１８、１１９を折り曲げている。なおこれらの折り曲げは、各折曲ラインＬ１〜Ｌ９が形成されている側が内側となるように折り曲げる。反対方向に折り曲げるとパネルが折損する可能性がある。
【００３４】
最後に、当該折り曲げにより接触するパネル同士を接着剤により接着する。より具体的には、第４パネル１１４の辺１１４ａと第２パネル１１２の辺１１２ａを接着し、第４パネル１１４の辺１１４ｂと第３パネル１１３の辺１１３ａを接着し、第６パネル１１６の辺１１６ａと第７パネル１１７の辺１１７ａを接着する。
【００３５】
このように本実施形態の捕獲部１１０は一枚のアクリル板を折り曲げて構成しているので、接着剤による接着部分が最小限で足りる。即ち、接着ミスによる水漏れの可能性を低く抑えることができると共に、接着部分自体が少ないので、接着剤の「はみ出し」等による意匠性の低下を最小限に抑えることを可能としている。
【００３６】
最後に、図１０に示しているように、第１パネル１１１の上縁部内周面に、ガイド部材１２０を接着して取り付ける。更に、捕獲部本体の背面側にジョイント１４０を接着して連結し、当該ジョイント１４０に形成されている差込部１４０ａに対してハンドル棒１４２の一端を圧嵌して完成する。
【００３７】
〈捕獲具の作用・機能〉
本発明にかかる捕獲具１００は、ハンドル棒１４２部分を把持し、捕獲部１１０を水槽内に入れて使用する。図示していないが、例えば、水槽内で飼育・育成している水生生物が複数存在する場合に、そのうちの特定の一匹を選択して他の水槽に移し替えたいような場合に好適な道具となる。
【００３８】
捕獲部１１０を水槽内に入れて、特定の一匹を開口部１１０ａから捕獲部１１０内に収容するように操作する。このとき、本発明にかかる捕獲具１１０では開口部１１０ａが三角形状となるように幅広に形成されているので、特定の一匹を捕獲しやすい。特に、開口部１１０ａは平面側から正面側にかけて広がるように構成されているので、水槽の底面付近に居る水生生物を捕獲しやすい。更に、捕獲部１１０の両側面には複数のスリット１１５、１１６が形成されているので、捕獲部１１０を水の中に入れた状態で横方向（左右方向）に移動させた場合でも、当該スリットから水がある程度抜けるので、水の抵抗が少ない。即ち、水槽内に水流の乱れを生じさせ難く、敷設されている土壌等の舞上がりが少ない。
【００３９】
また、第１パネル１１１の上縁部内周面には断面が三角形状のガイド部材が装着されているので、特に水槽内の底面に居る特定の水生生物を捕獲するような場合に、第１パネル１１１の上縁部と水槽の内周面などの間に水生生物を挟んでしまうことを防止できる。
【００４０】
また、捕獲部１１０など全てが透明なアクリル材料で構成されているので、捕獲しようとする水生生物を把握し易いことに加えて、捕獲した水生生物を３６０°好みの方向から鑑賞することも可能である。
【００４１】
更に、捕獲後、捕獲具１００を水槽内から外に出した場合においても、当該捕獲部１１０にはある程度の高さまで（例えば水抜き孔１１１ａが形成されている位置まで）水が残るので、捕獲した水生生物はこの残った水に浸かっていることができる（図１１参照）。その結果、水生生物がむやみに暴れることがないので、捕獲部１１０から飛び出すことも無いし、網を使っていないので暴れて水生生物の体が絡まって傷ついてしまうことも無い。更に万が一水生生物が飛び出そうとしても開口部１１０ａの縁部に返し部材１１８、１１９が備わっているので、当該返し部材１１８、１１９に当たって捕獲部１１０から飛び出る可能性は低い。
【００４２】
また、捕獲具１００では、ハンドル棒１４２の上端に、浮体１４４が設けられている。この浮体１４４が設けられていることによって、万が一当該捕獲具１００を水槽内に落としてしまった場合でも、捕獲具１００全体が水槽の底に沈んでしまうことはない。即ち、倒れた等の場合でも少なくとも浮体１４２の部分が水面に顔を出しているので、手をそれほど濡らすことなく捕獲具１００を拾い上げることができる。また、水槽内に敷設されている土壌近くにまで手を入れる必要がないので、手を入れた際の水流の乱れによって土壌をみだりに巻き上げることがなく、水槽内の水を不用意に濁すことも無い。
【００４３】
また、捕獲具１００では、その全体がアクリル材料で構成されている。特に観賞魚などを扱う水槽においては、見栄えを良くするために観賞魚等用の照明（水草育成のために紫外線が含まれる場合が多い）が利用されることが多いが、アクリル材料は照明ランプの光照射に対して耐久性があり好適である。また、水槽が上下に重ねられて設置されている場合など、当該捕獲具１００を水槽内に入れるスペースに制約がある場合も多いところ、例えばハンドル棒１４２をアクリル材料で構成すれば、相当程度の湾曲状態に耐えられることから、狭いスペースであってもハンドル棒１４２を湾曲させて水槽内に入れることができ便利である。
【００４４】
また、捕獲具１００を構成する材料は無色透明のアクリルに限定されず、有色であってもよいし、半透明、不透明更には模様等が付されていてもよい。更にはアクリル以外の樹脂、木材、金属など必要に応じて材質を変えて構成することは勿論可能である。特に観賞性の強い水生生物を捕獲する場合には、捕獲具自体も鑑賞に耐えうるほどに審美性の高いものが望まれることから、種々のカラーバリエーションやデザインのバリエーションで使用することができる。
【００４５】
また上記では、捕獲部１１０が型抜きしたパネルを折り曲げて作られているが、樹脂の各種成形技術を用いて「当初から折り畳まれた後の形状」に成形することも可能である。
【符号の説明】
【００４６】
１００…捕獲具
１１０…捕獲部
１１１…第１パネル
１１１ａ…水抜き孔
１１２…第２パネル
１１３…第３パネル
１１４…第４パネル
１１５…第５パネル
１１５ａ…スリット
１１６…第６パネル
１１６ａ…貫通スリット
１１７…第７パネル
１１８、１１９…返し部材
１２０…ガイド部材
１４０…ジョイント
１４２…ハンドル棒
１４４…浮体
【図１】
0005793801.tif 000002
【図２】
0005793801.tif 000003
【図３】
0005793801.tif 000004
【図４】
0005793801.tif 000005
【図５】
0005793801.tif 000006
【図６】
0005793801.tif 000007
【図７】
0005793801.tif 000008
【図８】
0005793801.tif 000009
【図９】
0005793801.tif 000010
【図１０】
0005793801.tif 000011
【図１１】
0005793801.tif 000012